(57)【要約】【課題】広告型のＳＮＳにおいて、来店特典付きの広告に対応する広告グループへの参加会員に対して来店特典をより確実に告知することが可能な技術の提供。【解決手段】ＳＮＳサーバは、通信部と記憶部と制御部とを備え、広告型のＳＮＳを提供する。制御部は、グループメンバリストの中から特定されたメンバ情報の利用回数に店舗での利用数を加算する共に当該メンバ情報の利用総額に店舗での利用金額を加算することにより、当該メンバ情報を更新する（Ｓ１３，Ｓ１４）。また、当該メンバ情報が更新されると、制御部は、グループメンバリストの利用回数の合計値が、来店特典が受けられるグループ利用数マイナス１であるか否かを判定する（Ｓ１５）。ここで、肯定判定されると（Ｓ１５：ＹＥＳ）、制御部は、次回来店時に来店特典が受けられる旨のメッセージを送信する（Ｓ１６）。【選択図】図１０
2015232793.tif 000002
【特許請求の範囲】
【請求項１】
グループ機能を用いて、来店特典付きの広告に対応する広告グループを作成し、当該広告グループの参加者に来店を促す広告型のＳＮＳ（Social Networking Service）を提供するＳＮＳサーバであって、
ネットワークに接続可能な通信部と、
記憶部と、
制御部と、
を備え、
前記制御部は、
前記通信部を介して、広告グループの作成依頼と共に、商品又はサービスの名称と来店特典が受けられるグループ利用数とを含む広告グループ情報を受信すると、前記広告グループ情報を前記記憶部に格納されている広告情報リストに追加し、
前記通信部を介して、前記ＳＮＳの会員による前記広告グループへの参加申請と共に、当該会員の識別子を受信すると、当該会員の識別子、利用回数及び利用総額を関連づけて記録するメンバ情報を作成し、前記記憶部に格納されているグループメンバリストに追加し、
前記通信部を介して、前記広告グループに対応する商品又はサービスの利用通知と共に、利用者識別子、利用数及び利用金額を受信すると、当該利用者識別子に基づき対応する会員のメンバ情報を前記グループメンバリストの中から特定し、
特定されたメンバ情報の利用回数に前記利用数を加算する共に当該メンバ情報の利用総額に前記利用金額を加算することにより、当該メンバ情報を更新し、
当該メンバ情報が更新されると、前記グループメンバリストの利用回数の合計値が前記グループ利用数マイナス１であるか否かを判定し、
肯定判定されると、次回来店時に前記来店特典が受けられる旨を出力することを特徴とするＳＮＳサーバ。
【請求項２】
請求項１に記載のＳＮＳサーバにおいて、
前記制御部は、前記通信部を介して、前記広告グループのランキング表示要求を受信すると、前記グループメンバリストの利用回数に基づいて、利用回数ランキングを生成して出力することを特徴とするＳＮＳサーバ。
【請求項３】
請求項１に記載のＳＮＳサーバにおいて、
前記制御部は、前記通信部を介して、前記広告グループのランキング表示要求を受信すると、前記グループメンバリストの利用総額に基づいて、利用総額ランキングを生成して出力することを特徴とするＳＮＳサーバ。
【請求項４】
請求項１ないし請求項３のいずれかに記載のＳＮＳサーバにおいて、
前記広告グループ情報は、最終目標利用数と広告有効期間とを更に含み、
前記制御部は、
前記広告有効期間の終了後、前記グループメンバリストの利用回数の合計値が前記最終目標利用数に達したか否かを判定し、
肯定判定されると、次回来店時に前記最終目標利用数の達成に伴う来店特典が受けられる旨を出力することを特徴とするＳＮＳサーバ。
【請求項５】
グループ機能を用いて、来店特典付きの広告に対応する広告グループを作成し、当該広告グループの参加者に来店を促す広告型のＳＮＳ（Social Networking Service）を提供するＳＮＳサーバとして機能するコンピュータに、
ａ）広告グループの作成依頼と共に、商品又はサービスの名称と来店特典が受けられるグループ利用数とを含む広告グループ情報を前記コンピュータの通信部を介して受信するステップと、
ｂ）前記広告グループ情報を前記コンピュータの記憶部に格納されている広告情報リストに追加するステップと、
ｃ）前記ＳＮＳの会員による前記広告グループへの参加申請と共に、当該会員の識別子を前記コンピュータの通信部を介して受信するステップと、
ｄ）前記会員の識別子、利用回数及び利用総額を記録するメンバ情報を作成し、前記コンピュータの記憶部に格納されているグループメンバリストに追加するステップと、
ｅ）前記広告グループに対応する商品又はサービスの利用通知と共に、利用者識別子、利用数及び利用金額を前記コンピュータの通信部を介して受信するステップと、
ｆ）前記利用者識別子に基づき対応する会員のメンバ情報を前記グループメンバリストの中から特定するステップと、
ｇ）前記ステップｆ）で特定されたメンバ情報の利用回数に前記ステップｅ）で受信した前記利用数を加算すると共に当該メンバ情報の利用総額に前記ステップｅ）で受信した前記利用金額を加算することにより、当該メンバ情報を更新するステップと、
ｈ）前記ステップｇ）において当該メンバ情報が更新されると、前記グループメンバリストの利用回数の合計値が前記グループ利用数マイナス１であるか否かを判定するステップと、
ｉ）前記ステップｈ）において肯定判定されると、次回来店時に前記来店特典が受けられる旨を出力するステップと、
を実行させるためのプログラム。
【請求項６】
グループ機能を用いて、来店特典付きの広告に対応する広告グループを作成し、当該広告グループの参加者に来店を促す広告型のＳＮＳ（Social Networking Service）を提供するＳＮＳサーバであって、
広告グループの作成依頼と共に、商品又はサービスの名称と来店特典が受けられるグループ利用数とを含む広告グループ情報を受信すると、前記広告グループ情報を広告情報リストに追加する広告グループ情報追加手段と、
前記ＳＮＳの会員による前記広告グループへの参加申請と共に、当該会員の識別子を受信すると、当該会員の識別子、利用回数及び利用総額を記録するメンバ情報を作成し、前記記憶部に格納されているグループメンバリストに追加するメンバ情報追加手段と、
前記広告グループに対応する商品又はサービスの利用通知と共に、利用者識別子、利用数及び利用金額を受信すると、前記利用者識別子に基づき対応する会員のメンバ情報を前記グループメンバリストの中から特定するメンバ情報特定手段と、
前記メンバ情報特定手段により特定されたメンバ情報の利用回数に前記利用数を加算すると共に当該メンバ情報の利用総額に前記利用金額を加算することにより、当該メンバ情報を更新するメンバ情報更新手段と、
前記メンバ情報更新手段による更新後、前記グループメンバリストの利用回数の合計値が前記グループ利用数マイナス１であるか否かを判定する判定手段と、
前記判定手段により肯定判定されると、次回来店時に前記来店特典が受けられる旨を出力する出力手段と、
を備えることを特徴とするＳＮＳサーバ。
【請求項７】
来店促進システムであって、
グループ機能を用いて、来店特典付きの広告に対応する広告グループを作成し、当該広告グループの参加者に来店を促す広告型のＳＮＳ（Social Networking Service）を提供するＳＮＳサーバと、
ネットワークを介して前記ＳＮＳサーバに接続される店舗端末と、
前記ネットワークを介して前記ＳＮＳサーバに接続されるユーザ端末と、
を備え、
前記ＳＮＳサーバは、
前記ネットワークに接続される通信部と、
記憶部と、
制御部と、
を有し、
前記通信部を介して、広告グループの作成依頼と共に、商品又はサービスの名称と来店特典が受けられるグループ利用数とを含む広告グループ情報を前記店舗端末から受信すると、前記広告グループ情報を前記記憶部に格納されている広告情報リストに追加し、
前記通信部を介して、前記ＳＮＳの会員による前記広告グループへの参加申請と共に、当該会員の識別子を前記ユーザ端末から受信すると、当該会員の識別子、利用回数及び利用総額を記録するメンバ情報を作成し、前記記憶部に格納されているグループメンバリストに追加し、
前記通信部を介して、前記広告グループに対応する商品又はサービスの利用通知と共に、利用者識別子、利用数及び利用金額を前記店舗端末から受信すると、当該利用者識別子に基づき対応する会員のメンバ情報を前記グループメンバリストの中から特定し、
特定されたメンバ情報の利用回数に前記利用数を加算する共に当該メンバ情報の利用総額に前記利用金額を加算することにより、当該メンバ情報を更新し、
当該メンバ情報が更新されると、前記グループメンバリストの利用回数の合計値が前記グループ利用数マイナス１であるか否かを判定し、
肯定判定されると、前記通信部を介して、次回来店時に前記来店特典が受けられる旨を前記ユーザ端末に通知することを特徴とする来店促進システム。
【発明の詳細な説明】
【技術分野】
【０００１】
本発明は、来店を促す広告型のＳＮＳ（Social Networking Service）を提供するＳＮＳサーバおよびそれに関連する技術に関する。
【背景技術】
【０００２】
近年、インターネットを利用したＳＮＳ（Social Networking Service）が広く利用されている。ＳＮＳは、人と人とのつながりを促進することを目的とするコミュニティ型のＷＥＢサイトである。ＳＮＳでは、主に、自分のプロフィールや写真を公開するプロフィール機能、メッセージをやりとりするメッセージ送受信機能、特定の会員が参加するグループ機能等が提供される（例えば、特許文献１，２）。
【先行技術文献】
【特許文献】
【０００３】
【特許文献１】特開２００８−２４３００８号公報
【特許文献２】特開２０１４−０９６１７９号公報
【発明の概要】
【発明が解決しようとする課題】
【０００４】
本願の発明者は、従来のＳＮＳを応用し、ＳＮＳの会員に対して来店を促す広告型のＳＮＳを新たに想起した。
【０００５】
具体的には、広告型のＳＮＳでは、契約等により事前に登録した各店舗がＳＮＳ上に広告グループを作成する。この広告グループでは、商品やサービスに関する情報を提供するとともに、所定の条件に応じて参加会員に来店時の特典が与えられる。このため、広告グループで提供される商品やサービスに興味のある会員に対して、当該広告グループへの積極的な参加を促すことができる。
【０００６】
すなわち、広告型のＳＮＳでは、各店舗にとっては、ＳＮＳの会員に対して来店を促すというメリットが有り、ＳＮＳの会員にとっては、来店時の特典を用いて興味のある商品やサービスを購入できるというメリットが有る。
【０００７】
さらに、広告グループは特定の商品又はサービスに関するグループであることから、興味の似通った会員で構成されることになる。そのため、単にグループを作成した場合と比べて、広告グループにおける参加会員同士の交流も活発になる。
【０００８】
しかしながら、広告型のＳＮＳでは、参加会員に対しての来店特典の告知が不十分な場合、来店の促進効果が十分に得られないという問題が生じる。
【０００９】
そこで、本発明は、広告型のＳＮＳにおいて、来店特典付きの広告に対応する広告グループへの参加会員に対して来店特典をより確実に告知することが可能な技術を提供することを目的とする。
【課題を解決するための手段】
【００１０】
上記目的を達成するために、本発明は、グループ機能を用いて、来店特典付きの広告に対応する広告グループを作成し、当該広告グループの参加者に来店を促す広告型のＳＮＳ（Social Networking Service）を提供するＳＮＳサーバであって、ネットワークに接続可能な通信部と、記憶部と、制御部とを備え、前記制御部は、前記通信部を介して、広告グループの作成依頼と共に、商品又はサービスの名称と来店特典を受けられるグループ利用数とを含む広告グループ情報を受信すると、前記広告グループ情報を前記記憶部に格納されている広告情報リストに追加し、前記通信部を介して、前記ＳＮＳの会員による前記広告グループへの参加申請と共に、当該会員の識別子を受信すると、当該会員の識別子、利用回数及び利用総額を関連づけて記録するメンバ情報を作成し、前記記憶部に格納されているグループメンバリストに追加し、前記通信部を介して、前記広告グループに対応する商品又はサービスの利用通知と共に、利用者識別子、利用数及び利用金額を受信すると、当該利用者識別子に基づき対応する会員のメンバ情報を前記グループメンバリストの中から特定し、特定されたメンバ情報の利用回数に前記利用数を加算する共に当該メンバ情報の利用総額に前記利用金額を加算することにより、当該メンバ情報を更新し、当該メンバ情報が更新されると、前記グループメンバリストの利用回数の合計値が前記グループ利用数マイナス１であるか否かを判定し、肯定判定されると、次回来店時に前記来店特典が受けられる旨を出力することを特徴とするＳＮＳサーバを提供している。
【００１１】
また、前記制御部は、前記通信部を介して、前記広告グループのランキング表示要求を受信すると、前記グループメンバリストの利用回数に基づいて、利用回数ランキングを生成して出力するのが好ましい。
【００１２】
また、前記制御部は、前記通信部を介して、前記広告グループのランキング表示要求を受信すると、前記グループメンバリストの利用総額に基づいて、利用総額ランキングを生成して出力するのが好ましい。
【００１３】
また、前記広告グループ情報は、最終目標利用数と広告有効期間とを更に含み、前記制御部は、前記広告有効期間の終了後、前記グループメンバリストの利用回数の合計値が前記最終目標利用数に達したか否かを判定し、肯定判定されると、次回来店時に前記最終目標利用数の達成に伴う来店特典が受けられる旨を出力するのが好ましい。
【００１４】
また、本発明は、グループ機能を用いて、来店特典付きの広告に対応する広告グループを作成し、当該広告グループの参加者に来店を促す広告型のＳＮＳ（Social Networking Service）を提供するＳＮＳサーバとして機能するコンピュータに、ａ）広告グループの作成依頼と共に、商品又はサービスの名称と来店特典を受けられるグループ利用数とを含む広告グループ情報を前記コンピュータの通信部を介して受信するステップと、ｂ）前記広告グループ情報を前記コンピュータの記憶部に格納されている広告情報リストに追加するステップと、ｃ）前記ＳＮＳの会員による前記広告グループへの参加申請と共に、当該会員の識別子を前記コンピュータの通信部を介して受信するステップと、ｄ）前記会員の識別子、利用回数及び利用総額を記録するメンバ情報を作成し、前記コンピュータの記憶部に格納されているグループメンバリストに追加するステップと、ｅ）前記広告グループに対応する商品又はサービスの利用通知と共に、利用者識別子、利用数及び利用金額を前記コンピュータの通信部を介して受信するステップと、ｆ）前記利用者識別子に基づき対応する会員のメンバ情報を前記グループメンバリストの中から特定するステップと、ｇ）前記ステップｆ）で特定されたメンバ情報の利用回数に前記ステップｅ）で受信した前記利用数を加算すると共に当該メンバ情報の利用総額に前記ステップｅ）で受信した前記利用金額を加算することにより、当該メンバ情報を更新するステップと、ｈ）前記ステップｇ）において当該メンバ情報が更新されると、前記グループメンバリストの利用回数の合計値が前記グループ利用数マイナス１であるか否かを判定するステップと、ｉ）前記ステップｈ）において肯定判定されると、次回来店時に前記来店特典が受けられる旨を出力するステップとを実行させるためのプログラムを更に提供している。
【００１５】
また、本発明は、グループ機能を用いて、来店特典付きの広告に対応する広告グループを作成し、当該広告グループの参加者に来店を促す広告型のＳＮＳ（Social Networking Service）を提供するＳＮＳサーバであって、広告グループの作成依頼と共に、商品又はサービスの名称と来店特典を受けられるグループ利用数とを含む広告グループ情報を受信すると、前記広告グループ情報を広告情報リストに追加する広告グループ情報追加手段と、前記ＳＮＳの会員による前記広告グループへの参加申請と共に、当該会員の識別子を受信すると、当該会員の識別子、利用回数及び利用総額を記録するメンバ情報を作成し、前記記憶部に格納されているグループメンバリストに追加するメンバ情報追加手段と、前記広告グループに対応する商品又はサービスの利用通知と共に、利用者識別子、利用数及び利用金額を受信すると、前記利用者識別子に基づき対応する会員のメンバ情報を前記グループメンバリストの中から特定するメンバ情報特定手段と、前記メンバ情報特定手段により特定されたメンバ情報の利用回数に前記利用数を加算すると共に当該メンバ情報の利用総額に前記利用金額を加算することにより、当該メンバ情報を更新するメンバ情報更新手段と、前記メンバ情報更新手段による更新後、前記グループメンバリストの利用回数の合計値が前記グループ利用数マイナス１であるか否かを判定する判定手段と、前記判定手段により肯定判定されると、次回来店時に前記来店特典が受けられる旨を出力する出力手段とを備えることを特徴とするＳＮＳサーバを更に提供している。
【００１６】
また、本発明は、来店促進システムであって、グループ機能を用いて、来店特典付きの広告に対応する広告グループを作成し、当該広告グループの参加者に来店を促す広告型のＳＮＳ（Social Networking Service）を提供するＳＮＳサーバと、ネットワークを介して前記ＳＮＳサーバに接続される店舗端末と、前記ネットワークを介して前記ＳＮＳサーバに接続されるユーザ端末とを備え、前記ＳＮＳサーバは、前記ネットワークに接続される通信部と、記憶部と、制御部とを有し、前記通信部を介して、広告グループの作成依頼と共に、商品又はサービスの名称と来店特典を受けられるグループ利用数とを含む広告グループ情報を前記店舗端末から受信すると、前記広告グループ情報を前記記憶部に格納されている広告情報リストに追加し、前記通信部を介して、前記ＳＮＳの会員による前記広告グループへの参加申請と共に、当該会員の識別子を前記ユーザ端末から受信すると、当該会員の識別子、利用回数及び利用総額を記録するメンバ情報を作成し、前記記憶部に格納されているグループメンバリストに追加し、前記通信部を介して、前記広告グループに対応する商品又はサービスの利用通知と共に、利用者識別子、利用数及び利用金額を前記店舗端末から受信すると、当該利用者識別子に基づき対応する会員のメンバ情報を前記グループメンバリストの中から特定し、特定されたメンバ情報の利用回数に前記利用数を加算する共に当該メンバ情報の利用総額に前記利用金額を加算することにより、当該メンバ情報を更新し、当該メンバ情報が更新されると、前記グループメンバリストの利用回数の合計値が前記グループ利用数マイナス１であるか否かを判定し、肯定判定されると、前記通信部を介して、次回来店時に前記来店特典が受けられる旨を前記ユーザ端末に通知することを特徴とする来店促進システムを更に提供している。
【発明の効果】
【００１７】
請求項１記載のＳＮＳサーバによれば、グループメンバリストの利用回数の合計値が、来店特典が付与されるグループ利用数マイナス１になると、次回来店時に来店特定が受けられる旨が出力される。そのため、広告グループの各メンバに対して来店特典をより確実に告知することができ、各メンバの来店を促進することが可能である。
【００１８】
請求項２記載のＳＮＳサーバによれば、広告グループの各メンバは、現状の利用回数ランキングを把握することが可能である。
【００１９】
請求項３記載のＳＮＳサーバによれば、広告グループの各メンバは、現状の利用総額ランキングを把握することが可能である。
【００２０】
請求項４記載のＳＮＳサーバによれば、有効期間終了後、グループメンバリストの利用回数の合計値が最終目標利用数に達すると、次回来店時に最終目標利用数達成に伴う来店特典が受けられる旨が出力される。そのため、広告グループの各メンバに対して最終目標利用数達成に伴う来店特典をより確実に告知することができ、各メンバの来店を促進することが可能である。
【００２１】
請求項５記載のプログラムによれば、広告グループの各メンバに対して来店特典をより確実に告知することができ、各メンバの来店を促進することが可能である。
【００２２】
請求項６記載のＳＮＳサーバによれば、広告グループの各メンバに対して来店特典をより確実に告知することができ、各メンバの来店を促進することが可能である。
【００２３】
請求項７記載の来店促進システムによれば、広告グループの各メンバに対して来店特典をより確実に告知することができ、各メンバの来店を促進することが可能である。
【図面の簡単な説明】
【００２４】
【図１】本発明の実施形態による来店促進システムの構成を示すブロック図。
【図２】ＳＮＳサーバのハードウェア構成を示すブロック図。
【図３】来店促進システムの処理を示すシーケンス図。
【図４】ユーザ登録画面を示す図。
【図５】会員情報リストを示す図。
【図６】広告登録画面を示す図。
【図７】広告情報リストを示す図。
【図８】グループ参加申請画面を示す図。
【図９】グループメンバリストを示す図。
【図１０】グループメンバリストの更新処理を示すフローチャート。
【図１１】ランキング表示処理を示すフローチャート。
【図１２】利用回数ランキングの表示例を示す図。
【図１３】広告有効期間終了後の処理を示すフローチャート。
【図１４】変形例に係るランキング表示処理を示すフローチャート。
【図１５】利用総額ランキングの表示例を示す図。
【発明を実施するための形態】
【００２５】
＜１．実施形態＞
＜１−１．構成＞
本発明の実施形態による来店促進システム１００について図１乃至図１３に基づき説明する。
【００２６】
図１に示す来店促進システム１００は、ＳＮＳ（Social Networking Service）を提供するＳＮＳサーバ１と、ユーザ端末３（３Ａ，３Ｂ，…）と、店舗端末４（４Ａ，４Ｂ，…）とを備えて構成される。ＳＮＳサーバ１とユーザ端末３と店舗端末４は、インターネット等を含むネットワーク２を介して互いに接続されている。なお、ネットワーク２への接続形態は、有線、無線を問わない。
【００２７】
ＳＮＳサーバ１は、会員に来店を促す広告型のＳＮＳ（Social Networking Service）を提供するサーバである。なお、本実施形態の広告型のＳＮＳは、通常のＳＮＳと同様に、プロフィール機能、メッセージ送受信機能及びグループ機能等を備えている。
【００２８】
広告型のＳＮＳでは、グループ機能を用いて、契約等により予め登録された各店舗が、来店特典付きの広告に対応する広告グループを作成することが可能である。
【００２９】
一方、ＳＮＳの会員（ユーザ）は、グループ機能により生成された複数の広告グループの中から所望の広告グループを選択して参加することが可能である。個々の広告グループには、利用回数に応じた来店時の特典が設けられており、広告グループへの参加会員は、来店特典を受けることが可能である。
【００３０】
この広告型のＳＮＳは、来店促進を目的としているため、来店可能な地域毎に提供される。すなわち、特定の地域（広島市等）に対応する広告型のＳＮＳにおいて、登録が可能な店舗は、当該特定の地域に住所を有するものに限られる。また、特定の地域に対応する広告型のＳＮＳに登録可能な会員（ユーザ）も、特定の地域に住所を有するものに限られる。
【００３１】
ＳＮＳサーバ１は、公知のサーバ用コンピュータと同様の構成を備えており、図２に示すように、ＣＰＵ１１、ＲＡＭ１２、ＲＯＭ１３、通信部（通信ＩＦ）１４、記憶部１５などを備え、これらがバス１８により相互に接続されている。
【００３２】
ＣＰＵ１１は中央演算装置であり、ＲＡＭ１２、ＲＯＭ１３などと協働して、後述する各種の処理を実行する。詳細には、ＣＰＵ１１は、予めインストールされている１又は複数のプログラムを実行することにより、各種の処理を実行する。このように、ＣＰＵ１１は、ＳＮＳサーバ１の動作を統括的に制御する制御部として機能する。
【００３３】
ＲＡＭ１２は、ＣＰＵ１１の演算の際にデータを一時的に記憶するものであり、ＲＯＭ１３は、ＢＩＯＳなどのプログラムが記憶された読み出し専用メモリである。
【００３４】
記憶部１５はハードディスク（ＨＤＤ）で構成されており、後述する会員情報リスト１１（図５）、広告情報リスト（図７）及びグループメンバリスト（図９）等を記憶する。
【００３５】
ユーザ端末３は、公知のタブレット端末と同様の構成を備えており、ネットワーク２を介してＳＮＳサーバ１との間でネットワーク通信を行うことが可能である。
【００３６】
店舗端末４は、公知のパーソナルコンピュータと同様の構成を備えており、ネットワーク２を介してＳＮＳサーバ１との間でネットワーク通信を行うことが可能である。店舗端末４にはカードリーダーが接続されており、当該カードリーダーを介して、広告グループのグループメンバに対して発行されるグループカードの情報を取得することが可能である。
【００３７】
＜１−２．動作＞
次に、図３〜図１０を参照しつつ、来店促進システム１００の各処理について説明する。
【００３８】
以下、図３のシーケンス図に沿って、会員登録処理（Ｓ１，Ｓ２）、広告グループ作成処理（Ｓ３，Ｓ４）、広告グループへの参加申請処理（Ｓ５，Ｓ６）、商品又はサービスの利用に伴う処理（Ｓ７，Ｓ８）について順次に説明する。
【００３９】
＜会員登録処理（図３：Ｓ１，Ｓ２）＞
本実施形態にかかる広告型のＳＮＳを利用するためには、ユーザは、予め会員登録を行う必要が有る。ＳＮＳへの会員登録は、図４に示すユーザ登録画面を介して行われる。
【００４０】
図４に示すユーザ登録画面において、氏名、パスワード、住所及びＥメールアドレスが入力され、登録ボタンが押下されると、ユーザ端末３は、会員登録申請を受け付ける（図３のステップＳ１）。そして、ユーザ端末３は、会員登録申請とともに、ユーザ登録画面（図４）で入力された情報を会員情報としてＳＮＳサーバ１に送信する。
【００４１】
ＳＮＳ１サーバ１は、会員登録申請に応答して、ユーザ端末３から受信した会員情報を図５に示す会員情報リスト１１に追加する（ステップＳ２）。図５に示すように、会員情報リスト１１には、各会員ＵＡ，ＵＢ，…のＩＤと、氏名と、住所と、パスワードと、Ｅメールアドレスとが記録される。
【００４２】
なお、会員情報が会員情報リスト１１に追加されると、ＳＮＳサーバ１は、会員登録完了通知を登録された会員のＥメールアドレス宛に送信する。会員登録完了通知を受信したユーザは、ＳＮＳにログインすることが可能になる。なお、ＳＮＳへのログインは、所定のログイン画面（不図示）において、ログインＩＤ（Ｅメールアドレス等）及びパスワードを入力することにより行われる。
【００４３】
以上のようなステップＳ１，Ｓ２の処理が行われることにより、図５に示す会員情報リスト１１には、新規会員の会員情報が適宜追加される。
【００４４】
＜広告グループ作成処理（図３：Ｓ３，Ｓ４）＞
契約等によりＳＮＳに予め登録された各店舗は、図６に示す広告登録画面を介して、広告グループを作成することが可能である。
【００４５】
具体的には、図６に示す広告登録画面において、各種情報が入力され、登録ボタンが押下されると、店舗端末４は、広告グループ作成依頼を受け付ける（図３のステップＳ３）。そして、店舗端末４は、広告グループ作成依頼とともに、広告登録画面（図６）を介して入力された情報を広告グループ情報としてＳＮＳサーバ１に送信する。
【００４６】
ＳＮＳサーバ１は、広告グループ作成依頼に応答して、店舗端末４から受信した広告グループ情報を図７に示す広告情報リストに追加する（ステップＳ４）。図７に示すように、広告情報リスト１２には、各広告ＧＡ，ＧＢ，…のＩＤと、商品又はサービス名と、来店特典が受けられるグループ利用数と、グループ利用数到達時の来店特典と、最終目標利用数と、最終目標利用数到達時の来店特典と、広告有効期間とが記録される。
【００４７】
以上のようなステップＳ３，Ｓ４の処理が行われることにより、図７に示す広告情報リスト１２には、新規広告グループの広告グループ情報が適宜追加される。
【００４８】
＜広告グループへの参加申請処理（図３：Ｓ５，Ｓ６）＞
上述のステップＳ３，Ｓ４において、広告グループが作成されると、ＳＮＳの会員は、当該広告グループの情報を閲覧することが可能である。例えば、グループ選択画面（不図示）において広告グループＧＡが会員ＵＡにより選択されると、当該会員ＵＡが使用するユーザ端末３の表示部には、図８に示すグループ参加申請画面が表示される。
【００４９】
図８に示すように、グループ参加申請画面には、選択された広告グループＧＡに関する情報が表示される。また、グループ参加申請画面の下部には、参加申請ボタンが設けられている。当該参加申請ボタンが押下されると、ユーザ端末３は、広告グループＧＡへの参加申請を受け付ける（図３のステップＳ５）。そして、ユーザ端末３は、会員ＵＡによる広告グループＧＡへの参加申請とともに、会員ＵＡの会員ＩＤ「Ｕ００１」及び広告グループＧＡのグループＩＤ「Ａ００１」をＳＮＳサーバ１に送信する。
【００５０】
ＳＮＳサーバ１は、グループＩＤ「Ａ００１」に基づき、広告グループＧＡに対応するグループメンバリスト１３（図９）を特定する。そして、ＳＮＳサーバ１は、会員ＩＤ「Ｕ００１」に対応する会員ＵＡのメンバ情報を追加する（ステップＳ６）。図９に示すように、グループメンバリスト１３には、各参加会員のＩＤと、利用回数と、利用総額とがメンバ情報として記録される。なお、メンバ情報が追加された時点では、利用回数及び利用総額には初期値として０が入力される。
【００５１】
また、ＳＮＳサーバ１は、会員ＩＤ「Ｕ００１」に基づき、図５に示す会員情報リストの中から会員ＵＡに対応する会員情報の住所を特定する。そして、ＳＮＳサーバ１は、新規参加会員ＵＡの住所をＳＮＳの管理者に通知し、グループカードの発行を指示する。
【００５２】
これにより、ＳＮＳの管理者は、広告グループＧＡに対応するグループカードを発行した上で、会員ＵＡの住所に送付することが可能になる。このグループカードは、対象商品又はサービスの購入時に、店舗に対して提示するためのものである。なお、グループカードには、グループＩＤ及び会員ＩＤが2次元バーコード等により記録されているものとする。
【００５３】
＜商品又はサービスの利用に伴う処理（図３：Ｓ７，Ｓ８）＞
上述のように、ＳＮＳの会員が広告グループへの参加申請を行うと、グループカードが発行され、当該会員の住所に送付される。そして、ＳＮＳの会員は、広告グループの商品又はサービスを店舗で利用する際、グループカードを持参して提示する。
【００５４】
これに対して、店舗端末４は、カードリーダーを介してグループカードに記録された情報を読み取り、グループＩＤ及び会員ＩＤを取得する（図３のステップＳ７）。そして、店舗端末４は、店舗利用通知とともに、グループＩＤ、会員ＩＤ、利用数及び利用金額をＳＮＳサーバ１に送信する。
【００５５】
例えば、会員ＵＫが広告グループＧＡの８，０００円の商品（Ｎ社のスニーカー）を１足購入したとすると、店舗端末４は、グループＩＤ「Ａ００１」、会員ＩＤ「Ｕ００９」、利用数「１」及び利用金額「８０００」をＳＮＳサーバ１に送信する。
【００５６】
これに対して、ＳＮＳサーバ１は、グループメンバリスト更新処理（図１０のフローチャート）を実行する（ステップＳ８）。
【００５７】
具体的には、ＳＮＳサーバ１は、まず、グループＩＤ「Ａ００１」に基づき、対応するグループＧＡのグループメンバリスト１３（図９）を特定する（図１０のステップＳ１１）。この後、ＳＮＳサーバ１は、ユーザＩＤ「Ｕ００９」に基づいて、グループメンバリスト１３の中から会員ＵＫのメンバ情報を特定する（ステップＳ１２）。
【００５８】
そして、ＳＮＳサーバ１は、特定されたメンバ情報の利用回数に利用数「１」を加算すると共に（ステップＳ１３）、利用総額に利用金額「８０００」を加算することにより（ステップＳ１４）、会員ＵＫのメンバ情報を更新する。
【００５９】
会員ＵＫのメンバ情報が更新されると、ＳＮＳサーバ１は、グループメンバリスト１３の利用回数の合計値が、来店特典が受けられるグループ利用数マイナス１であるか否かを判定する（ステップＳ１５）。
【００６０】
ステップＳ１５においてＹＥＳと判定されると、ステップＳ１６に進み、ＮＯと判定されると、処理を終了する。
【００６１】
ステップＳ１６では、ＳＮＳサーバ１は、ＳＮＳのメッセージ機能を利用して、次回来店時にグループ利用数到達に伴う来店特典が受けられる旨のメッセージを広告グループＧＡの全メンバに送信する。
【００６２】
以上のような動作によれば、グループメンバリスト１３の利用回数の合計値が、来店特典が受けられるグループ利用数マイナス１になると、次回来店時にグループ利用数到達に伴う来店特典が受けられる旨のメッセージが広告グループＧＡの全メンバに送信される。そのため、グループ利用数到達に伴う来店特典を各メンバに対してより確実に報知することができ、各メンバの来店を促進することが可能である。
【００６３】
＜ランキング表示処理＞
続いて、図１１のフローチャートを参照しながら、広告型のＳＮＳによって提供されるランキング表示機能について説明する。ランキング表示機能とは、広告グループに参加しているメンバの利用回数ランキングを表示するための機能である。
【００６４】
例えば、広告グループＧＡの会員ＵＡにより、ランキング表示指示が受け付けられると、ＳＮＳサーバ１は、図１１のフローチャートの処理を実行する。
【００６５】
具体的には、ＳＮＳサーバ１は、まず、広告グループＧＡのグループメンバリスト１３（図９）を参照し、利用回数の多い順にメンバ情報をソートする（ステップＳ２１）。
【００６６】
そして、ＳＮＳサーバ１は、ステップＳ２１でソートされたメンバ情報に基づき、図１２に示す利用回数ランキングの表示用データを生成し、会員ＵＡのユーザ端末３に送信する（ステップＳ２２）。
【００６７】
以上の利用回数のランキング表示機能によれば、広告グループＧＡの各会員は、利用回数の現状のランキングを閲覧することが可能である。ここで、期間終了後に順位に応じたポイントが付与される旨等を告知しておけば、広告グループＧＡの各会員に対して店舗への来店を促すことが可能になる。
【００６８】
＜広告有効期間終了後の処理＞
最後に、図１３のフローチャートを参照しつつ、広告有効期間終了後の処理について説明する。
【００６９】
例えば、広告グループＧＡの広告有効期間が終了すると、ＳＮＳサーバ１は、グループメンバリスト１３の利用回数の合計値が最終目標利用数以上であるか否かを判定する（図１３のステップＳ３１）。
【００７０】
ステップＳ３１でＹＥＳと判定されると、ＳＮＳサーバ１は、ＳＮＳのメッセージ機能を利用して、次回来店時に最終目標利用数到達に伴う来店特典が受けられる旨のメッセージを広告グループＧＡの全メンバに送信する（ステップＳ３２）。
【００７１】
以上の処理によれば、広告グループＧＡの各メンバに対して最終目標利用数達成に伴う来店特典をより確実に報知することが可能である。
【００７２】
＜２．変形例＞
本発明による来店促進システムは上述の実施形態に限定されず、特許請求の範囲に記載した範囲で種々の変形や改良が可能である。
【００７３】
例えば、上記実施形態では、ランキング表示指示に伴って利用回数ランキング（図１２）の表示用データが生成される場合を例示したが、これに限定されず、利用総額ランキング（図１５）の表示用データが生成されるようにしてもよい。
【００７４】
かかる変形例において、たとえば、広告グループＧＡの会員ＵＡにより、ランキング表示指示が受け付けられると、ＳＮＳサーバ１は、図１４のフローチャートの処理を実行する。
【００７５】
具体的には、ＳＮＳサーバ１は、まず、広告グループＧＡのグループメンバリスト１３（図９）を参照し、利用総額の多い順にメンバ情報をソートする（ステップＳ４１）。
【００７６】
そして、ＳＮＳサーバ１は、ステップＳ４１でソートされたメンバ情報に基づき、図１５に示す利用総額ランキングの表示用データを生成し、会員ＵＡのユーザ端末３に送信する（ステップＳ４２）。
【産業上の利用可能性】
【００７７】
以上のように本発明にかかるＳＮＳサーバは、来店を促進する広告型のＳＮＳを提供するのに適している。
【符号の説明】
【００７８】
１  ＳＮＳサーバ、２  ネットワーク、３  ユーザ端末、４  店舗端末、
１１  会員情報リスト、１２  広告情報リスト、１３  グループメンバリスト、
１５  記憶部、１８  バス、１００  来店促進システム、
ＧＡ  広告グループ、ＵＡ，ＵＢ，ＵＫ  会員
【図１】
2015232793.tif 000003
【図２】
2015232793.tif 000004
【図３】
2015232793.tif 000005
【図４】
2015232793.tif 000006
【図５】
2015232793.tif 000007
【図６】
2015232793.tif 000008
【図７】
2015232793.tif 000009
【図８】
2015232793.tif 000010
【図９】
2015232793.tif 000011
【図１０】
2015232793.tif 000012
【図１１】
2015232793.tif 000013
【図１２】
2015232793.tif 000014
【図１３】
2015232793.tif 000015
【図１４】
2015232793.tif 000016
【図１５】
2015232793.tif 000017